(57)【要約】【課題】冷却器に帰還する冷気が野菜容器の周囲を循環する方式と、冷蔵室で冷却された密閉蓋からの放射冷却で野菜容器内を冷却する方式がある。前者は野菜容器の上面開口を塞ぐ構成と冷気循環通路構成が複雑化し、後者は野菜が十分に冷却されるまでには多くの時間がかかるという問題がある。本発明は冷却器で冷却した冷気は送風機によって冷蔵室へ供給されるが野菜室にはこの冷気が直接流入しないようにして、構造の簡素化を図るとともに、上面開口の野菜容器内の冷却が促進される冷蔵庫を提供するものである。【解決手段】野菜室には上面開口の野菜容器が前方へ引き出し自在に設けられ、一方の側が冷却器で冷却した冷気で冷却され他方の側が野菜室に臨む熱交換器を設け、野菜室の空気とこの熱交換器の他方の側との熱交換を促進する野菜室用送風機を設けたこと。【選択図】      図１
2005016903.tif 000002
【特許請求の範囲】
【請求項１】
前面開口の冷蔵庫本体内に冷蔵室と野菜室が形成され、野菜室には上面開口の野菜容器が前方へ引き出し自在に設けられ、冷却器で冷却した冷気が送風機によって前記冷蔵室を循環するが前記野菜室には前記冷気が直接流入しないように構成した冷蔵庫において、一方の側が前記冷気で冷却され他方の側が前記野菜室に臨む熱交換器を設け、前記野菜室の空気とこの熱交換器の前記他方の側との熱交換を促進する野菜室用送風機を設けたことを特徴とする冷蔵庫。
【請求項２】
前面開口の冷蔵庫本体内に冷凍室、冷蔵室及び野菜室が形成され、前記野菜室には上面開口の野菜容器が前方へ引き出し自在に設けられ、単一の冷却器で冷却した冷気が送風機によって前記冷凍室と冷蔵室を循環するが前記野菜室には前記冷気が直接流入しないように構成した冷蔵庫において、一方の側が前記冷気で冷却され他方の側が前記野菜室に臨む熱交換器を設け、前記野菜室の空気とこの熱交換器の前記他方の側との熱交換を促進する野菜室用送風機を設けたことを特徴とする冷蔵庫。
【発明の詳細な説明】
【０００１】
【発明の属する技術分野】
本発明は、前面開口の冷蔵庫本体内に野菜室を形成した冷蔵庫に関する。
【０００２】
【従来の技術】
前面開口の冷蔵庫本体内に冷蔵室とその下方に野菜室を形成し、野菜室には上面開口が蓋体で塞がれた野菜容器が野菜室の前面開口を開閉する扉と共に引き出し自在に設けられ、冷却器で冷却した冷気を送風機によって前記冷蔵室へ供給し、冷蔵室を通過した冷気が冷蔵室と野菜室の間に形成した通風ダクトを通って野菜室へ供給され、野菜容器を周囲から冷却する間接冷却方式の冷蔵庫がある（例えば、特許文献１参照）。
【０００３】
また、前面開口の冷蔵庫本体内に冷蔵室とその下方に野菜室を形成し、冷蔵室と野菜室とは密閉蓋によって相互に冷気循環がないように区画され、野菜室には上面開口の野菜容器が野菜室の前面開口を開閉する扉と共に引き出し自在に設けられ、冷却器で冷却した冷気は送風機によって前記冷蔵室へ供給され、冷蔵室の冷気によって前記密閉蓋が冷却され、野菜室は直接の冷気流入なしに放射冷却される間接冷却方式の冷蔵庫がある（例えば、特許文献２参照）。
【０００４】
【特許文献１】
特開平１０−１８５４０７号公報（Ｐ１〜４、図１）
【特許文献２】
特開平５−２８８４６３号（Ｐ１〜３、図１、図５）
【０００５】
【発明が解決しようとする課題】
特許文献１の方式では、野菜容器が野菜室の前面扉と共に引き出し自在であるため、野菜容器が野菜室内に収納された状態で野菜容器の上面開口が蓋体で塞がれるようにしなければ、野菜容器内の野菜が乾燥する。このため、野菜容器の引き出しと収納がスムースに行え、野菜容器が野菜室内に収納された状態で野菜容器の上面開口が蓋体で塞がれるように、野菜容器と蓋体との寸法関係と組立て関係の精度が要求される。また、野菜室内に冷蔵室の冷気が循環する方式であるため、冷気循環ダクトの形成も含めて全体構造が複雑になるという問題がある。
【０００６】
また特許文献２の方式では、構造は簡素化されるが、野菜容器の周囲の冷気は特許文献１のように冷却器に帰還する冷気が循環せず、密閉蓋からの放射冷却であるため、野菜の乾燥は少ないが、野菜容器内に入れた野菜が十分に冷却されるまでには多くの時間がかかるという問題がある。
【０００７】
本発明は、このような点に鑑みて、冷却器で冷却した冷気は送風機によって冷蔵室へ供給されるが、野菜室にはこの冷気が直接流入しないようにして、上面開口の野菜容器内の野菜の乾燥が少ない構造でもって冷却が促進される冷蔵庫を提供するものである。
【０００８】
【課題を解決するための手段】
本発明の冷蔵庫は、前面開口の冷蔵庫本体内に冷蔵室と野菜室が形成され、野菜室には上面開口の野菜容器が前方へ引き出し自在に設けられ、冷却器で冷却した冷気が送風機によって前記冷蔵室を循環するが前記野菜室には前記冷気が直接流入しないように構成した冷蔵庫において、一方の側が前記冷気で冷却され他方の側が前記野菜室に臨む熱交換器を設け、前記野菜室の空気とこの熱交換器の前記他方の側との熱交換を促進する野菜室用送風機を設けたことを特徴とする。
【０００９】
これによって、冷却器で冷却した冷気は送風機によって冷蔵室へ供給されるが、野菜室にはこの冷気が直接流入しないので、上面開口の野菜容器内の湿気が冷却器に吸い取られて野菜容器内の野菜が乾燥することはなく、しかも野菜容器内に入れた野菜の冷却が速くなるため、野菜の長期保存に適する。また冷気循環通路構造の簡素化を図ることもできる。
【００１０】
また、本発明の冷蔵庫は、前面開口の冷蔵庫本体内に冷凍室、冷蔵室及び野菜室が形成され、前記野菜室には上面開口の野菜容器が前方へ引き出し自在に設けられ、単一の冷却器で冷却した冷気が送風機によって前記冷凍室と冷蔵室を循環するが前記野菜室には前記冷気が直接流入しないように構成した冷蔵庫において、一方の側が前記冷気で冷却され他方の側が前記野菜室に臨む熱交換器を設け、前記野菜室の空気とこの熱交換器の前記他方の側との熱交換を促進する野菜室用送風機を設けたことを特徴とする。
【００１１】
これによって、単一の冷却器で冷却した冷気は送風機によって冷凍室と冷蔵室へ供給されるが、野菜室にはこの冷気が直接流入しないので、上面開口の野菜容器内の湿気が冷却器に吸い取られて野菜容器内の野菜が乾燥することはなく、しかも野菜容器内に入れた野菜の冷却が速くなるため、野菜の長期保存に適するものとなる。また冷気循環通路構造の簡素化を図ることもできる。
【００１２】
【発明の実施の形態】
次に、本発明の冷蔵庫について説明する。各図は本発明の冷蔵庫の実施形態を示しており、図１は冷蔵庫の縦断側面図、図２は冷蔵庫本体の正面視での冷気吹き出し口と吸込み口の配置図、図３は熱交換器と野菜室用送風機の関係を示す斜視図、図４は本発明の他の実施形態に係る冷蔵庫の縦断側面図、図５は本発明の更に他の実施形態に係る冷蔵庫の縦断側面図である。
【００１３】
先ず図１乃至図３に基づいて説明する。１は冷蔵庫であり、全面開口の冷蔵庫本体２内を区画して複数の貯蔵室を形成し、これら各貯蔵室の前面は扉で開閉できる構成である。冷蔵庫本体２は、外箱（外壁板）と内箱（内壁板）との間に発泡断熱材を充填した断熱構造である。冷蔵庫本体２内には、上から冷蔵室３、野菜室４、上冷凍室５、下冷凍室６が区画して設けられ、冷蔵室３内の底部にはその上方の冷蔵室３と区画板（区画壁）８にて区画された特定低温室９が設けられている。上冷凍室５は冷気量調節装置を手動操作して冷蔵室とすることもできるので、切り替え室と称することもできる。
【００１４】
冷蔵室３の前面開口は、冷蔵庫本体２の一側部にヒンジ装置にて横方向に回動して開閉される回動式の冷蔵室扉１０にて閉塞される。野菜室４の前面開口は、野菜室４内に設けた左右のレール又はローラ装置３８によって前後方向へ引き出し可能に支持した野菜容器１５と共に前方へ引き出される引き出し式扉１１にて閉塞されている。野菜容器１５は野菜の出し入れできるように上面開口の形状である。上冷凍室５と下冷凍室６はそれぞれ野菜室４と同様に、冷凍室内に設けた左右のレールに対して、それぞれ前後方向へ引き出し可能に支持した容器１６、１７と共に前方へ引き出される引き出し式扉１２、１３にて閉塞されている。
【００１５】
２４は冷凍システムの冷媒の圧縮機、２５は冷凍システムの冷媒の凝縮器である。２６は凝縮器２５の熱によって後述の除霜水を蒸発させるための蒸発皿であり、凝縮器２５上に載置して冷凍冷蔵庫本体２の前面下部から引き出し自在である。圧縮機２４、凝縮器２５、蒸発皿２６は、冷蔵庫本体２の下部に設けた機械室２８に設置されている。２９、３０は冷凍システムの冷媒の蒸発器（冷却器）である。３１は第１蒸発器（冷却器）２９で冷却した冷気を上冷凍室５及び下冷凍室６へ循環する第１送風機、３２は第２蒸発器（冷却器）３０で冷却した冷気を冷蔵室３及び特定低温室９へ循環する第２送風機である。３３は第１蒸発器（冷却器）２９の除霜用ガラス管ヒータ、３４は第２蒸発器（冷却器）３０の除霜用ガラス管ヒータである。第１蒸発器（冷却器）２９及び第２蒸発器（冷却器）３０の除霜水は排水管を通って蒸発皿２６へ導かれてそこで蒸発する。
【００１６】
第２蒸発器（冷却器）３０で冷却された冷気は、第２送風機３２によって冷蔵室上部冷気通路３５Ａ、冷蔵室背部冷気通路３５Ｂ、冷蔵室下部冷気通路３５Ｃを通ってそれぞれ対応する冷気吹き出し口３６、３９、３９Ａから冷蔵室３へ供給され、冷気吸込み口４２から冷気帰還通路４０へ吸い込まれて再び第２蒸発器（冷却器）３０の周囲へ帰還する循環をする。第１蒸発器（冷却器）２９で冷却した冷気は、第１送風機３１によって矢印のように循環して上冷凍室５と下冷凍室６を所定温度に冷却する。
【００１７】
上記のように、冷却器３０で冷却した冷気が送風機３２によって冷蔵室３を循環するが、野菜室４にはこの冷気が直接流入しないように構成されている。その構成について図１では、冷蔵室３の底壁４１と野菜室４の上壁５２との間に冷気通路３５Ｃが形成されており、冷蔵室３側と野菜室４側とは上壁５２によって区画された状態であり、野菜室４と冷凍室５とは断熱性の区画壁５０で区画されている。上壁５２は断熱性であることが望ましく、１枚の合成樹脂製の板で構成したものや、合成樹脂製外皮層の中に発泡断熱材が充填された構成でもよい。
【００１８】
４３は冷却器３０で冷却した冷気が流入しない野菜室４を積極的に冷却するための熱交換器であり、一方の側が冷却器３０で冷却した冷気で冷却され他方の側が野菜室４に臨むように上壁５２に取り付けられている。熱交換器４３は図３に示すように、中間部に設けた仕切り壁４４とこの仕切り壁４４の両側に複数のフィンで形成した熱交換部４５、４６とを熱良導材で一体形成しており、その一つとしてアルミニウムで構成したものを用いる。この熱交換器４３は、この部分で冷気通路３５Ｃの冷気が野菜室４へ流入しないように仕切り壁４４が上壁５２と連続するように設置され、一方の側の熱交換部４５を冷気通路３５Ｃ内に配置し、他方の側の熱交換部４６が野菜室４に臨むように配置されている。これによって、熱交換部４５は冷気通路３５Ｃの冷気によって冷却され、この冷熱が仕切り壁４４を通して他方の側の熱交換部４６を冷却する。
【００１９】
４７は熱交換部４６と野菜室４内の空気との熱交換を促進するために野菜室４に設けた野菜室用送風機であり、プロペラ型の軸流ファンを示しているが、これに限らずターボファン等の遠心ファンでもよい。この野菜室用送風機４７によって、野菜室４内の空気と熱交換部４６との熱交換が促進されて野菜室４内の空気は冷却され、野菜容器１５内はその上面開口を通して野菜室４内を循環する冷気によって低温になりやすくなる。野菜室用送風機４７は、野菜室４の温度によってＯＮ、ＯＦＦするように制御されるが、第２送風機３２のＯＮ、ＯＦＦに伴って、又は圧縮機２４のＯＮ、ＯＦＦに伴ってＯＮ、ＯＦＦするように制御される方式でもよい。
【００２０】
このような構成によって、各室の温度は、冷蔵室３が約３〜４℃、野菜室４及び野菜容器１５内が約３〜６℃に保たれ、上冷凍室８と下冷凍室９が約−１８℃〜−２０℃である。また、冷蔵室扉１０の内側に設けた貯蔵棚３７上は５〜８℃である。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。このように特定低温室９は、食品を特定の温度領域内で冷却保存するためのものであり、他の室に比して厳しい温度制御が要求される。
【００２１】
上記の実施形態では、冷気通路３５Ｃを流れる冷気は、冷却器３０で冷却した冷気が冷蔵室３へ流入する前の低温冷気である。このため、熱交換部４５はその冷気によって速やかに冷却されることとなり、野菜室４の冷却も速やかになる。
【００２２】
図４には本発明の他の実施形態に係る冷蔵庫の縦断側面図を示している。これにおいて、図１乃至図３と同符合部分は同名称部分を示す。図４において、上記同様に、４３は冷却器３０で冷却した冷気が流入しない野菜室４を積極的に冷却するための熱交換器であり、一方の側が冷却器３０で冷却した冷気で冷却され他方の側が野菜室４に臨むように野菜室４の上壁５２に取り付けられている。熱交換器４３は中間部に設けた仕切り壁４４とこの仕切り壁４４の両側に複数のフィンで形成した熱交換部４５、４６とを熱良導材で一体形成しており、その一つとしてアルミニウムで構成したものを用いる。この熱交換器４３は、この部分で冷気通路３５Ｃの冷気が野菜室４へ流入しないように仕切り壁４４が上壁５２と連続するように設置され、一方の側の熱交換部４５を冷気通路３５Ｃ内に配置し、他方の側の熱交換部４６が野菜室４に臨むように配置されている。これによって、熱交換部４５は冷気通路３５Ｃの冷気によって冷却され、この冷熱が仕切り壁４４を通して他方の側の熱交換部４６を冷却する。
【００２３】
４７は熱交換部４６と野菜室４内の空気との熱交換を促進するために野菜室４に設けた野菜室用送風機であり、プロペラ型の軸流ファンを示しているが、これに限らずターボファン等の遠心ファンでもよい。この野菜室用送風機４７によって、野菜室４内の空気と熱交換部４６との熱交換が促進されて野菜室４内の空気は冷却され、野菜容器１５内はその上面開口を通して流入する冷気によって低温になりやすくなる。野菜室用送風機４７は、野菜室４の温度によってＯＮ、ＯＦＦするように制御されるが、第２送風機３２のＯＮ、ＯＦＦに伴って、又は圧縮機２４のＯＮ、ＯＦＦに伴ってＯＮ、ＯＦＦするように制御される方式でもよい。
【００２４】
図４の形態が図１乃至図３の形態と主として異なるところは、図１乃至図３の形態では、冷気通路３５Ｃには冷却器３０で冷却した冷気が冷蔵室３へ流入する前の低温冷気が流れるが、図４の形態では、冷却器３０で冷却した冷気が一旦冷蔵室３を冷却した後、冷気通路３５Ｃへ流入して冷却器３０へ帰還する構成である。このため、図４の形態では図１乃至図３の形態に比して、熱交換器４３が冷蔵室３の温度に影響され易い状態となるが、熱交換器４３の熱慣性によって、冷蔵室３の温度変動によって野菜室４の温度が頻繁に変化することはなく、野菜室４内の冷却を行うことができる。
【００２５】
図５は本発明の更に他の実施形態に係る冷蔵庫の縦断側面図である。図１乃至図４の形態と主として異なるところは、単一の冷却器で冷却した冷気を送風機によって冷凍室と冷蔵室へ循環し、野菜室へはこの冷気が直接流入しない方式とした点である。以下、これを具体的に説明する。
【００２６】
１は冷蔵庫であり、全面開口の冷蔵庫本体２内を区画して複数の貯蔵室を形成し、これら各貯蔵室の前面は扉で開閉できる構成である。冷蔵庫本体２は、外箱（外壁板）と内箱（内壁板）との間に発泡断熱材を充填した断熱構造である。冷蔵庫本体２内には、上から冷蔵室３、野菜室４、上冷凍室５、下冷凍室６が区画して設けられ、冷蔵室３内の底部にはその上方の冷蔵室３と区画板（区画壁）８にて区画された特定低温室９が設けられている。上冷凍室５は冷気量調節装置を手動操作して冷蔵室とすることもできるので、切り替え室と称することもできる。
【００２７】
冷蔵室３の前面開口は、冷蔵庫本体２の一側部にヒンジ装置にて横方向に回動して開閉される回動式の冷蔵室扉１０にて閉塞される。野菜室４の前面開口は、野菜室４内に設けた左右のレール又はローラ装置３８によって前後方向へ引き出し可能に支持した野菜容器１５と共に前方へ引き出される引き出し式扉１１にて閉塞されている。野菜容器１５は野菜の出し入れできるように上面開口の形状である。上冷凍室５と下冷凍室６はそれぞれ野菜室４と同様に、冷凍室内に設けた左右のレールに対して、それぞれ前後方向へ引き出し可能に支持した容器１６、１７と共に前方へ引き出される引き出し式扉１２、１３にて閉塞されている。
【００２８】
２４は冷凍システムの冷媒の圧縮機、２５は冷凍システムの冷媒の凝縮器である。２６は凝縮器２５の熱によって後述の除霜水を蒸発させるための蒸発皿であり、凝縮器２５上に載置して冷凍冷蔵庫本体２の前面下部から引き出し自在である。圧縮機２４、凝縮器２５、蒸発皿２６は、冷蔵庫本体２の下部に設けた機械室２８に設置されている。２９は冷凍システムの冷媒の蒸発器（冷却器）である。３１は蒸発器（冷却器）２９で冷却した冷気を上冷凍室５、下冷凍室６及び冷蔵室３へ循環する送風機、３３は蒸発器（冷却器）２９の除霜用ガラス管ヒータである。蒸発器（冷却器）２９の除霜水は排水管を通って蒸発皿２６へ導かれてそこで蒸発する。
【００２９】
蒸発器（冷却器）２９で冷却された冷気は、送風機３１によって上冷凍室５と下冷凍室６へ流入すると共に、野菜室４の背面側の上方の冷気通路３５へ流入して冷蔵室背部冷気通路３５Ｂから冷蔵室上部冷気通路３５Ａを通ってそれぞれ対応する冷気吹き出し口３６、３９から冷蔵室３へ供給される。冷蔵室３の冷気は吸い込み口４９から冷蔵室３の底壁４１と野菜室４の上壁５２との間の冷気通路３５Ｃへ流入し、野菜室４の背面側の帰還通路４８を通って冷却器２９の下方へ帰還して再び冷却される循環をする。
【００３０】
このように、冷却器２９で冷却した冷気が送風機３１によって冷凍室５、６と冷蔵室３を循環するが、野菜室４にはこの冷気が直接流入しないように構成されている。図５では、冷蔵室３側と野菜室４側は上壁５２で区画され、野菜室４と冷凍室５とは断熱性の区画壁５０で区画されている。上壁５２は断熱性であることが望ましく、１枚の合成樹脂製の板で構成したものや、合成樹脂製外皮層の中に発泡断熱材が充填された構成でもよい。
【００３１】
４３は冷却器３０で冷却した冷気が流入しない野菜室４を積極的に冷却するための熱交換器であり、一方の側が冷却器２９で冷却した冷気で冷却され、他方の側が野菜室４に臨むように野菜室４の断熱性背壁５１に取り付けられている。熱交換器４３は図３に示すように、中間部に設けた仕切り壁４４とこの仕切り壁４４の両側に複数のフィンで形成した熱交換部４５、４６とを熱良導材で一体形成しており、その一つとしてアルミニウムで構成したものを用いる。この熱交換器４３は、この部分で冷気通路３５の冷気が野菜室４へ流入しないように仕切り壁４４が断熱性背壁５１と連続するように設置され、一方の側の熱交換部４５を冷気通路３５内に配置し、他方の側の熱交換部４６が野菜室４に臨むように配置されている。これによって、熱交換部４５は冷気通路３５の冷気によって冷却され、この冷熱が仕切り壁４４を通して他方の側の熱交換部４６を冷却する。
【００３２】
４７は熱交換部４６と野菜室４内の空気との熱交換を促進するために野菜室４に設けた野菜室用送風機であり、プロペラ型の軸流ファンを示しているが、これに限らずターボファン等の遠心ファンでもよい。この野菜室用送風機４７によって、野菜室４内の空気と熱交換部４６との熱交換が促進されて野菜室４内の空気は冷却され、野菜容器１５内はその上面開口を通して流入する冷気によって低温になりやすくなる。野菜室用送風機４７は、野菜室４の温度によってＯＮ、ＯＦＦするように制御されるが、送風機３１のＯＮ、ＯＦＦに伴って、又は圧縮機２４のＯＮ、ＯＦＦに伴ってＯＮ、ＯＦＦするように制御される方式でもよい。
【００３３】
図５の実施形態では、冷気通路３５を流れる冷気は、冷却器２９で冷却した冷気が冷蔵室３へ流入する前の低温冷気である。このため、熱交換部４５はその冷気によって速やかに冷却されることとなり、野菜室４の冷却も速やかになる。なお、上記のいずれの実施形態においても、野菜室４の底壁には、野菜室４内に溜まった水を蒸発皿２６へ導く排水パイプが接続されている。
【００３４】
本発明は上記実施形態に限定されるものではなく、特許請求の範囲を逸脱しない部分における種々の実施形態を包含するものである。
【００３５】
【発明の効果】
本発明によれば、冷却器で冷却した冷気は送風機によって冷蔵室へ供給されるが、野菜室にはこの冷気が直接流入しないので、上面開口の野菜容器内の湿気が冷却器に吸い取られて野菜容器内の野菜が乾燥することはなく、しかも野菜容器内に入れた野菜の冷却が速くなるため、野菜の長期保存に適する。また、冷蔵室へ流入する前の低温冷気によって熱交換部を冷却する配置とすることによって、熱交換器が速やかに冷却されることとなり、野菜室の冷却も速やかになる。また冷気循環通路構造の簡素化を図ることもできる。
【００３６】
また、請求項２の発明によれば、単一の冷却器で冷却した冷気は送風機によって冷凍室と冷蔵室へ供給されるが、野菜室にはこの冷気が直接流入しないので、上面開口の野菜容器内の湿気が冷却器に吸い取られて野菜容器内の野菜が乾燥することはなく、しかも野菜容器内に入れた野菜の冷却が速くなるため、野菜の長期保存に適するものとなる。また、冷蔵室へ流入する前の低温冷気によって熱交換部を冷却する配置とすることによって、熱交換器が速やかに冷却されることとなり、野菜室の冷却も速やかになる。また冷気循環通路構造の簡素化を図ることもできる。
【図面の簡単な説明】
【図１】本発明冷蔵庫の縦断側面図である。
【図２】本発明冷蔵庫の冷蔵庫本体の正面視での冷気吹き出し口と吸込み口の配置図である。
【図３】本発明に係る熱交換器と野菜室用送風機の関係を示す斜視図である。
【図４】本発明の他の実施形態に係る冷蔵庫の縦断側面図である。
【図５】本発明の更に他の実施形態に係る冷蔵庫の縦断側面図である。
【符号の説明】
１……冷蔵庫
２……冷蔵庫本体
３……冷蔵室
４……野菜室
１５……野菜容器
２９、３０……冷却器
３１、３２……送風機
３５、３５Ｂ、３５Ｃ……冷気供給通路
４３……熱交換器
４４……仕切り壁
４５、４６……フィンで形成した熱交換部
４７……野菜室用送風機
５２……野菜室の上壁
【図１】
2005016903.tif 000003
【図２】
2005016903.tif 000004
【図３】
2005016903.tif 000005
【図４】
2005016903.tif 000006
【図５】
2005016903.tif 000007